(57)【要約】      （修正有）【課題】非侵襲的且つ簡便に、被検者が日常的に糖検査を行うことができる生体検査装置付き眼鏡を提供する。【解決手段】使用者の眼球に向かって光を照射する発光部２１と、眼球で反射した光を検出する検出部２２とを有し、生体成分に含まれる物質（糖）を光学的に検出する生体検査装置２０を備えた生体検査装置付き眼鏡であり、発光部２１及び／又は検出部２２は、使用者の眼球との間に光を集中させるＤＯＥレンズ２４などの集光手段を含む。生体検査装置２０は、発光部及び検出部が搭載された基板を眼鏡のフレーム或いは蔓部に固定し、発光部が発する光が眼球特に白目に照射されるように配光パターンが調整されている。生体検査装置２０を駆動する電源部は蔓部の先端に設けられる。【選択図】図２
2014004082.tif 000002
【特許請求の範囲】
【請求項１】
使用者の眼球に向かって光を照射する発光手段と、前記眼球で反射した光を検出する検出手段とを有し、生体成分に含まれる物質を光学的に検出する生体検査装置を備えたことを特徴とする生体検査装置付き眼鏡。
【請求項２】
請求項１に記載の眼鏡であって、前記発光手段及び／又は検出手段は、前記使用者の眼球との間に光を集中させる集光手段を含むことを特徴とする生体検査装置付き眼鏡。
【請求項３】
請求項２に記載の眼鏡であって、前記集光手段はＤＯＥレンズを含むことを特徴とする生体検査装置付き眼鏡。
【請求項４】
請求項１ないし３いずれか一項に記載の眼鏡であって、前記生体検査装置は、検出結果に基きアラームを発生するアラーム手段を備えることを特徴とする生体検査装置付き眼鏡。
【請求項５】
請求項４に記載の眼鏡であって、前記アラーム手段は光学的アラーム手段であることを特徴とする生体検査装置付き眼鏡。
【請求項６】
請求項１ないし５いずれか一項に記載の眼鏡であって、レンズを固定するフレームを備え、前記生体検査装置は前記フレームに設置されていることを特徴とする生体検査装置付き眼鏡。
【請求項７】
請求項１ないし５いずれか一項に記載の眼鏡であって、前記眼鏡を眼鏡使用者に装着するための蔓部を備え、前記生体検査装置は前記蔓部に設置されていることを特徴とする生体検査装置付き眼鏡。
【請求項８】
請求項１ないし７いずれか一項に記載の眼鏡であって、前記生体検査装置に電力を供給する電源を備えることを特徴とする生体検査装置付き眼鏡。
【請求項９】
請求項８に記載の眼鏡であって、前記電源は前記眼鏡を使用者に装着するための装着部に設置されていることを特徴とする生体検査装置付き眼鏡。
【請求項１０】
請求項１ないし９いずれか一項に記載の眼鏡であって、前記生体検査装置は生体成分中の糖を検出する糖検査装置であることを特徴とする生体検査装置付き眼鏡。
【発明の詳細な説明】
【技術分野】
【０００１】
本発明は、生体成分、特に涙、に含まれる物質を、簡便且つ非侵襲的に検査するための生体検査装置付き眼鏡に関し、特に涙中の糖濃度をモニターするための生体検査装置付き眼鏡に関する。
【背景技術】
【０００２】
従来、糖尿病などの診断方法として、血液や尿などの体液中のグルコース濃度を測定することが確立されている。また、生体中のグルコース濃度を測定する手法として、波長１４８０ｎｍ〜１８００ｎｍの近赤外光を用いた光学的検査装置も提案されている（特許文献１、特許文献２）。特許文献１には、被検者の耳たぶに所定の波長の光を照射し、耳たぶを透過した光を計測することにより、耳たぶを流れる血管中のグルコースが吸収した光による光量の変化を検出し、これによりグルコース量の変化を検出する技術が開示されている。特許文献２には、生体から採取した体液に光を導入し光学的検出手段で検出したグルコース濃度に対し回帰分析を行い、グルコース濃度を定量的に計測する装置が提案されている。
【０００３】
これら技術は、非侵襲的にグルコース濃度の検査を行うことを可能にする技術であるが、糖尿病患者の多くは日常の生活しながら糖濃度を管理し必要に応じてインシュリン注射を行う必要があるため、より簡便な検査手法が望まれる。
【０００４】
これに対し、特許文献３には、グルコースセンサを設けたインシュリン注入器が提案されており、涙を溜める涙受け穴を眼鏡フレームに設けると共にこの涙受け穴内にグルコースセンサを設置し、グルコース濃度を検出することが記載されている。この技術では、眼鏡フレームの鼻当てに涙腺を刺激する微弱電流を通電する制御器が設けられ、これにより涙を涙受け穴に集める構成を採用している。
【先行技術文献】
【特許文献】
【０００５】
【特許文献１】米国特許第４６５５２２５号公報
【特許文献２】特許第４４７２７９４号公報
【特許文献３】特開平５−４９６９６号公報
【発明の開示】
【発明が解決しようとする課題】
【０００６】
特許文献１に記載された技術は、生体を透過する光を計測することによってグルコース濃度を検出するものであり、微弱な光信号を処理する必要があり、被検者に装着可能な小型の検査装置の設計は困難である。特許文献２、３に記載された技術は、生体から採取した体液からグルコース濃度を検出するので、検査装置の小型化が可能であるが、いずれも生体から体液を採取する工程或いはそのための装置が必要である。例えば特許文献３に記載された技術では、涙を溜めるため涙腺を刺激する微弱電流を流す必要があり、被検者に与える違和感や不快感を伴わざるを得ない。また測定の度に涙受けを洗浄する必要があり、衛生的に保つことが難しく、手間がかかる。
【０００７】
本発明は、体液の採取やそれに伴う被検者に対する負荷を伴うことなく、簡便に糖検査を行うことができる装置を提供することを課題とする。
【課題を解決するための手段】
【０００８】
上記課題を解決するため本発明は、眼鏡に、涙を採取することなく、即ち涙が眼球に付着している自然の状態で光学的に涙中に含まれる物質例えば糖を検出する手段を設けたものである。
【０００９】
即ち本発明は、生体成分中の物質を光学的に検出する光学的生体検査装置を備えたことを特徴とする眼鏡を提供する。生体検査装置は、使用者の眼球に向かって光を照射する発光手段と、前記眼球で反射した光を検出する検出手段とを有し、好適には、使用者の眼球に光を集中させる集光手段を含む。集光手段は、例えばＤＯＥレンズを含む。
【００１０】
本発明の眼鏡において、好適には、生体検査装置は検出結果に基きアラームを発生するアラーム手段を含む。アラーム手段はＬＥＤ等の光学的手段とすることができる。
【００１１】
本発明の眼鏡において、生体検査装置は、例えばレンズを固定するフレームに設置されている。或いは眼鏡を眼鏡使用者に装着するための蔓部に設置されている。
【００１２】
本発明の眼鏡は、好適には、生体検査装置に電力を供給する電源を備える。電源は眼鏡を眼鏡使用者に装着するための装着部に設置することができる。
【発明の効果】
【００１３】
本発明によれば、眼球に直接光を照射し、眼球から反射した光を検出することによって眼球に自然の状態で付着している涙中の物質を光学的に検出するので、被検者に対する違和感や不快感などの負荷がなく、自然な状態で検査を行うことができる。また被検者は検査のための手間や時間を費やすことなく、平常の活動を行いながら継続的に検査を行うことができる。
【００１４】
さらに本発明によれば、生体検査装置を構成する光学系にＤＯＥレンズを採用することにより、眼鏡と眼鏡との近距離であっても眼球特に白目に集中して光を照射し且つ眼球が反射する光を収集することができ、検査の精度を上げることができる。
【００１５】
また本発明によれば、例えば、糖検査の継続中に糖濃度が所定の値を超えた場合にはアラームを発することができるので、適切なときにインシュリン注入を行うことができる。特に光学的なアラームを眼鏡に設けることにより、他人に気付かれずに必要な処置を行うことができる。
【図面の簡単な説明】
【００１６】
【図１】本発明の生体検査装置付き眼鏡の第一実施形態を示す全体概要を示す図
【図２】糖検査装置を示す構成図
【図３】（ａ）〜（ｃ）は、それぞれ、糖検査装置の発光部、受光部の配置例を示す図
【図４】糖検査装置の発光部の配光パターンの一例を示す図で、（ａ）は顔面を上から見た図、（ｂ）は正面から見た図である。
【図５】第一実施形態の糖検査装置の動作を示すフローチャート
【図６】本発明の生体検査装置付き眼鏡の第三実施形態を示す全体概要を示す図
【図７】本発明の生体検査装置付き眼鏡の第四実施形態の要部を示す図
【発明を実施するための形態】
【００１７】
＜第一実施形態＞
以下、本発明の実施形態を、図面を参照して説明する。図１は、本発明の生体検査装置付き眼鏡の第一の実施形態を示す全体概要を示す図、図２は生体検査装置（糖検査装置）部分を示す図である。
【００１８】
この眼鏡１０は、一対のレンズ１１と、レンズ１１が固定されたフレーム１２と、ヒンジ部１３によりフレーム１２に対し折り畳み可能に連結された一対の蔓部１４とを備え、蔓部１４の端部のヒンジ部１３近傍に、光学的に糖を検出する糖検査装置２０が固定されている。なお図では、糖検査装置２０が蔓部１４の一端部のみに設けられている場合を示しているが、両側に一対の糖検査装置２０を設けることも可能である。
【００１９】
レンズ１１は、被検者の視力に対応して近視用、遠視用、老眼用等の度付きレンズでもよいし、被検者の視力が良好な場合には、度の入っていないガラスでもよいし、被検者が希望すればガラスを省いてもよい。さらに色のついたサングラス用レンズでもよい。
【００２０】
フレーム１２は、プラスチック、金属、天然素材など一般の眼鏡に利用されている任意の材料から形成することができる。形状も任意であり、図ではレンズ１１の外周全体を囲む形状を示しているが、レンズ１１の外周の一部、例えば上部半分のみ、或いは二つのレンズを接続する鼻当て１５の部分と蔓部１４が接続されるレンズの側端部のみに設けられたものであってもよい。
【００２１】
蔓部１４は、被検者の耳に引っかけるための湾曲部１４１が形成され、この湾曲部１４１に糖検査装置２０を駆動するための電源である電池３０が固定されている。電池３０としては、小型のものであれば特に限定されず、コイン型リチウム電池、ニッケル水素電池、円筒型ニカド電池等を使用することができる。蔓部１４の端部には、電池を収納するポケット部１４３が形成されており、このポケット部に形成された電極（不図示）と糖検査装置２０とが蔓部１４内に埋め込まれたワイヤ２８により電気的に接続されている。ポケット部１４３には、内部に形成された電極と電池３０との電気的な接続をオンオフするスイッチを設けることも可能である。このように蔓部１４に電源部を設けることにより、フレーム１２との接続部側に糖検査装置２０を固定した眼鏡の全体としての重さのバランスを図ることができる。
【００２２】
糖検査装置２０は、図２に示すように、波長１４８０〜１８８０ｎｍの範囲の近赤外光を発する発光部２１と、発光部２１から発せられ、被検者の眼球で反射された光を受光し電気信号に変換する受光部２２と、発光部２１の駆動を制御するとともに受光部２２からの電気信号からグルコース量を算出する計算処理部２５と、計算処理部２５からの制御信号によりオンオフする可視光発光部２３と、発光部２１及び受光部２２に近接して配置された光学レンズ２４とを備える。なお波長１４８０〜１８８０ｎｍの範囲の近赤外光は、主として涙中の成分のうち糖（グルコース）によって吸収されることが知られており（前掲特許文献２）、この範囲の光の吸収を測定することにより糖濃度の変化を検出することができる。
【００２３】
波長１４８０〜１８８０ｎｍの範囲の近赤外光を発する発光部２１としては、ＡｌＧａＡｓ等のＬＥＤ素子を用いることができる。入手可能なＬＥＤ素子のサイズは、１ｍｍ角〜数ｍｍ角であり、フレームの大きさを考慮し、一つ又は複数を組み合わせて用いることができる。発光部２１は、計算処理部２５に組み込まれたプログラムにより、一定の間隔（例えば３０分置き）で点滅を繰り返す。
【００２４】
受光部２２は、発光部２１が発し、眼球で反射された波長１４８０〜１８８０ｎｍの範囲の散乱光を検出するものであり、フォトダイオードを用いることができる。特にアバランシェ増倍によって微弱な光でも大きな電位変化を引き起こせるアバランシェダイオードが好適である。
【００２５】
計算処理部２５は、小型マイクロプロセッサから成り、発光部２１を一定の間隔で点滅駆動させるとともに、同じタイミングで受光部２２が検出した信号を入力し、涙中の糖濃度（グルコース量）を算出する。糖濃度の算出は、発光部２１が発した光の強度と受光部２２が検出した光の強度の差を用いてＰＬＳ（Ｐａｒｔｉａｌ  Ｌｅａｓｔ  Ｓｑｕａｒｅ  Ｒｅｇｒｅｓｓｉｏｎ）回帰分析などの公知の手法を用いて行うことができる。発光部２１及び受光部２２を制御するための手順及びグルコース量計算のためのアルゴリズムは、それぞれプログラムとして計算処理部２５に格納されている。計算処理部２５は計算した糖濃度が予め設定した糖濃度を超えたときに制御信号を出力し、可視光発光部２３を点灯する。
【００２６】
可視光発光部２３は、アラーム用の発光部であり、可視光を発するＬＥＤ素子、例えばガリウムヒ素リン系ＬＥＤ、窒素ガリウム系ＬＥＤ、リン化ガリウム系ＬＥＤや、ＬＥＤと蛍光体とを組み合わせたＬＥＤ素子等を用いることができる。
【００２７】
発光部２１、受光部２２、可視光発光部２３、及び計算処理部２５は、配線基板２７上に固定されており、図３（ａ）に示すように、蔓部１４のレンズ側から横方向に並ぶように配置されている。配置の順番は、レンズ側から順に発光部２１、可視光発光部２３、受光部２２としてもよいし、逆に受光部２２、可視光発光部２３、発光部２１としてもよい。計算処理部２５は、レンズ側とは反対の側に配置することが好ましい。
【００２８】
光学レンズ２４は、発光部２１が発する光に対し所定の配光を与えるとともに眼球で反射された光を受光部２２に集光するものであり、発光部２１の発光面側及び受光部２２の受光面側に、それぞれ所定の間隔を持って配置される。光学レンズ２４は、例えば、上記所定の間隔に相当する厚みを持つスペーサや透明な薄板（不図示）を介して発光部２１及び受光部２２に貼着することにより固定できる。
【００２９】
光学レンズ２４としては、屈折レンズや回折レンズ（ＤＯＥ：Ｄｉｆｆｒａｃｔｉｖｅ  Ｏｐｔｉｃａｌ  Ｅｌｅｍｅｎｔレンズ）を単独で或いは適宜組み合わせて用いることができる。特にＤＯＥレンズは溝の間隔や深さを調節することにより波長に応じた焦点の設計が容易であり、１以上のＤＯＥレンズを組み合わせることにより、発光部２１及び受光部２２と眼球との距離が近距離であるという制約の中で、適切に集光し且つ適切な配光パターンを作り出すことができる。ＤＯＥレンズの設計は、例えば、バーチャルラボ（商品名、Light  Trans社）など市販のソフトを用いて、波長、配光（指光特性）、サイズなどの光源情報と、サイズ、光源からの距離、照射パターンの画像などのＤＯＥ側の条件を入力することにより所望の配光パターンを持つＤＯＥを設計することができる。
【００３０】
光学レンズ２４による配光パターンの一例を図４に示す。図４の（ａ）は眼鏡を上から見た図であり、発光部２１から発生られる光の進路を示している、（ｂ）は人の顔を正面から見た図である。
【００３１】
糖検査装置２０は図４（ａ）に示すように、蔓部１４の端部、幅数ｍｍの範囲に配置されている。発光部２１からの光は、発光面の垂線方向に対し±９０度の範囲まで出射するが、その発光面に配置された光学レンズ２４により集光され、±３０度程度の広がりを持つ光として眼球に照射される。また発光部２１は蔓部１４の端部に位置しているので、発光面の垂線方向は人の正面方向及び左右方向に対し角度を持っている。これにより、光の照射範囲は、図４（ｂ）に示すように、一つの眼を囲む楕円形状となる。図４（ａ）に示す光の進路からもわかるように、光は発光部２１からの距離が離れるほど、眼球（球の接線）に対する入射角度が小さくなるので、黒目を通して直接網膜に光が照射されることはない。これにより網膜の吸収による反射光の低下や網膜自体の光損傷のおそれをなくすことができる。
【００３２】
本実施形態では、一例として、平均的な日本人の顔の幅、目のサイズ（縦横のサイズ）や両目の間隔を考慮して、高さ（上下方向のサイズ）が約１０ｍｍ、幅（左右方向の）が約６５ｍｍとなるように光学レンズ２４を設計している。このように光学レンズ２４によって、照射範囲をほぼ目の部分に限定することにより、発光部２１が発する光を有効に利用することができ、検査精度を向上することができる。
【００３３】
なお光学レンズ２４には、図４（ｂ）に示す照射範囲以外に光が照射されるのを防ぐための遮蔽部材（不図示）を組み合わせることも可能である。
【００３４】
次に上記構成の糖検査装置２０の動作を、図５のフローを参照して説明する。
人が眼鏡をかけた状態で、蔓部１４に収納された電源をＯＮにする等して、糖検査装置２０を駆動状態にすると、所定の時間間隔例えば３０分毎に、発光部２１から人の眼球に向かって所定の配光パターンで近赤外光が照射される（ステップ５０１、５０２）。光が照射された眼球では、眼球を覆う涙に含まれる糖により、照射された近赤外光の一部が吸収された後、強膜（いわゆる白目）で反射される。反射された光は、正反射光のほか乱反射光も含む散乱光であり、そのうち受光部２２に近接して配置された光学レンズ２４に捉えられた光は、光学レンズ２４により集光されて受光部２２で受光される。受光部２２は、受けた光の光量に相当する電気信号を発生し、デジタル信号として計算処理部２５に送る（ステップ５０３）。計算処理部２５は受光部２２からの受光量に相当するデジタル信号を処理し、涙中の糖の濃度を計算する（ステップ５０４）。
【００３５】
計算は、例えば重回帰分析の手法を用いることができる。重回帰分析は、説明変数の中に互いに相関が高い変数を見出す手法であり、主成分回帰、リッジ回帰、ＰＬＳ（Partial  Least  Squares  Regression）回帰などの手法が知られており、いずれを用いてもよい。この場合、説明変数は受光部２２が受光した所定波長の光の光量或いは発光部２１が発した光量と受光部２２が受けた光量の差分、従属変数は糖の濃度である。その他、簡便な方法として、予め求めた光量の変化と涙中の糖濃度との関係を用いて濃度を算出する方法も可能である。予め求めた関係（関数）は、眼鏡をかけて糖検査装置２０で光量を測定するとともに、その時に採取した涙から光学的手法、化学的手法その他公知の手法で糖濃度を測定し、測定した光量（或いは光量変化）と糖濃度を用いて作成することができる。或いは経験的に求めた受光量と糖濃度との関係をデフォルトで設定しておき、それを被検者毎に上述のように実測した値で更正してもよい。
【００３６】
計算処理部２５は、計算された糖濃度と予め設定された閾値とを比較し、糖濃度が閾値より高い場合には信号を可視光発光部２３に送り、可視光発光部２３を駆動する（ステップ５０５、５０６）。これによりアラームとして光が発せられる。可視光発光部２３は、近赤外光を発する発光部２１の近傍即ち眼の近傍に設置されているので、被検者はアラームが発せられたことをすぐに知ることができ、インシュリン注射を実施するなどの必要な処置を取ることができる。
【００３７】
以上のステップ５０１〜５０５を、電源がオフにされるまで、設定された時間間隔で繰り返す。
【００３８】
なおステップ５０３では、回帰分析或いは簡便な方法で糖濃度を算出する場合を説明したが、さらに簡便には、光量の変化だけを追跡し、光量の変化が所定の値を超えたときにアラームを発する構成としてもよい。所定の値は、被検体の糖濃度が高い時に或いは点眼液などで人工的に高い状態を作りその状態で測定した光量から求めた値を用いてもよいし、経時的に得られる光量のデータを統計処理することにより得た値（例えば平均値±標準偏差）などを用いることも可能である。このような簡便な方法を採用する場合には、アラームが発せられた時に、精度の高い糖濃度検出検査を行うようにしてもよい。
【００３９】
本実施形態によれば、使用者は通常の生活を行いながら、検査のための時間や手間を必要とせずに、糖濃度の変化をモニターすることができる。また本実施形態によれば、糖検査装置の光学系にＤＯＥレンズを採用したことにより、糖検査装置と眼球との距離の制約の中で効果的に発光部２１が発した光を眼球（白目）に照射することができ、検査の精度を高めることができる。さらに本実施形態によれば、糖検査装置の光学系の部分が搭載される部分と電池が搭載される部分とを分けたことにより、眼鏡全体の重さのバランスを取ることができ、糖検査装置により増加した重量による使用者への負担や違和感を軽減することができる。なお、糖検査装置２０及び電源部を追加したことによる眼鏡の重さの増加は、使用する光学系や電池の種類によっても異なるが、２０〜４０ｇ程度に収めることができる。
【００４０】
また本実施形態の生体検査装置付き眼鏡は、蔓部１４をフレームから取り外し可能にすることもでき、その場合、生体検査装置２０の調整や蔓部のみの交換を容易に行うことができる。
【００４１】
以上、本発明の生体検査装置付き眼鏡の一実施形態を説明したが、生体検査装置の取付位置や生体検査装置を構成する各要素の数や配置などは適宜変更することが可能である。以下、いくつかの変更例を説明する。
【００４２】
＜第二実施形態＞
図３（ｂ）は第二実施形態の生体検査装置付き眼鏡の要部を示す図である。本実施形態においても、生体検査装置である糖検査装置２０を眼鏡の蔓部１４の端部に設けること及び糖検査装置２０の構成は第一実施形態と同じであるが、第一実施形態では発光部２１、可視光発光部２３及び受光部２２を水平方向に並べた場合を示したが、本実施形態では上下方向に並べたものである。その他の構成は、第一実施形態と同様である。
【００４３】
本実施形態では、蔓部１４のフレーム１２との接続部分を挟んで上下に発光部２１と受光部２２とが対称的に配置され、発光部２１は眼球に対しやや斜め上から光を照射し、眼球で反射された光を斜め下で受光するようになっている。この配置では、光を効果的に白目の部分に当てることができる位置で、調整可能な発光部２１と受光部２２との距離を比較的広くとることができるので、第一実施形態に比べ反射光の受光率を高めることができる。
【００４４】
また蔓部１４の幅を利用して、発光部２１及び受光部２２の数を増やすことができる。例えば、蔓部１４の幅方向中央に対し上下に２つの発光部２１を配置し、中央に受光部２２を配置してもよいし、図３（ｃ）に示すように、発光部２１と受光部２２の対を増やすことも可能である。これにより受光部２２が受ける受光量を大きくし、測定の精度を高めることができる。
【００４５】
＜第三実施形態＞
図６は第三実施形態の生体検査装置付き眼鏡の概略を示す図である。第一及び第二実施形態では、糖検査装置２０を眼鏡の蔓部１４に設けたが、本実施形態ではフレーム１２に設けている。このためフレーム１２は、蔓部１４との連結部近傍の幅が広い形状を有し、湾曲している。糖検査装置２０の発光部２１と受光部２２の配置は、図示するように、上下方向に配置してもよいし、第一実施形態と同様に水平方向に配置してもよい。
【００４６】
本実施形態の生体検査装置付き眼鏡は、図示するように、フレーム１２の両側に糖検査装置２０を設けた場合、それらをフレーム内に埋め込まれたワイヤ２９で接続することができ、一対の糖検査装置２０の一方だけに計算処理部２５を設けて、両方の糖検査装置２０で測定した光量を一つの計算処理部２５で処理するようにしてもよい。両方の測定光量を積算することにより、検出の精度を向上することができる。
【００４７】
＜第四実施形態＞
上述した第一〜第三実施形態の生体検査装置付き眼鏡は、糖検査装置２０が眼鏡フレーム１２や蔓部１４に固定されているものであるが、本実施形態では、糖検査装置２０を眼鏡のフレームや蔓部に対し着脱可能に構成する。
【００４８】
本実施形態の生体検査装置付き眼鏡の要部を図７に示す。図示するように眼鏡の蔓部１４０には、糖検査装置２０を嵌めこむための凹部１４５が形成されている。一方、糖検査装置２０は基板上に発光部２１、受光部２２及び計算処理部２５を搭載した検査チップ２００と、これら基板上の各要素にワイヤ２１０を介して接続される電源部２２０とからなり、検査チップ２００の裏面には蔓部１４０に形成された凹部１４５に係合する凸部２０１が形成されている。検査チップ２００の凸部２０１を蔓部１４０の凹部１４５に係合させることにより検査チップ２００が固定される。電源部２２０には第一実施形態と同様に電池を用いることができる。また、電池に代えて二次電池を設け、アダプタ等を介して商用電源に接続し充電する充填式のものとしてもよい。
【００４９】
糖検査装置２０は左右一対で使用してもよいし、片方だけでもよい。また使用時のみに、蔓部１４０に固定するようにしてもよいし、常時、固定しておいてもよい。
【００５０】
本実施形態によれば、糖検査装置２０を着脱可能したことにより、被検者は外出時や接客時など不要な時には糖検査装置を外すことができ、利便性を高めることができる。また蔓部１４０と糖検査装置２０の検査チップ２００が係合する凹部と凸部を設けているので、同じ計測位置での検査を担保でき、結果の信頼性を保つことができる。なお両者を係合する手段は、凹部と凸部の組合せに限定されず、フック、磁石など公知の構造を採用することができる。
【００５１】
また計算処理部２５をチップ２００に搭載する代わりに電源部２２０に計算処理部２５とアラーム用の可視光発光部２３を一体的に設けることもできる。そのような電源部２２０に一対の検査チップ２００を接続してもよい。
【００５２】
以上、いくつかの実施形態を説明したが、本発明の生体検査装置付き眼鏡は、上述した糖検査装置の構成に限定されることなく、各要素を構成する材料、数、形状、配置などを眼鏡という制限内で任意に変更することができる。また上記実施形態では、検出する対象が糖（グルコース）である場合を説明したが、涙に含まれる糖以外の物質についても、その物質が吸収する波長の光を用いることにより、同様に検出が可能である。
【産業上の利用可能性】
【００５３】
本発明によれば、非侵襲的且つ簡便に、被検者が日常的に糖検査を行うことができる生体検査装置付き眼鏡が提供される。
【符号の説明】
【００５４】
１０・・・眼鏡、１１・・・レンズ、１２・・・フレーム、１３・・・ヒンジ部、１４、１４０・・・蔓部、２０・・・糖検査装置、２１・・・発光部、２２・・・受光部、２３・・・可視光発光部、２４・・・光学レンズ、２５・・・計算処理部。
【図１】
2014004082.tif 000003
【図２】
2014004082.tif 000004
【図３】
2014004082.tif 000005
【図４】
2014004082.tif 000006
【図５】
2014004082.tif 000007
【図６】
2014004082.tif 000008
【図７】
2014004082.tif 000009